(57)【要約】【課題】地上に設置される表示部材の頂部間に、区画を表示するためのベルトを張設する区画表示装置において、無駄の無い構成を実現する。【解決手段】本発明の区画表示装置１は、円錐コーンなどの表示部材の頂部に被せられる本体部６と受け部材７とを備え、本体部６の開口６３２５からベルト４が引き出され、その先端に設けた係止具４３が、受け部材７の係止受け部７２２に係合されることで、前記円錐コーン間にベルト４が張設される。したがって、ベルト４の収納部や巻き取り機構を備えておらず、ベルト４の先端に設けられる係止具４３と係合するだけの受け部材７を設けるので、ベルト４を、地上設置の表示部材に確実に係止しつつ、該ベルト４を収納し、引き出し可能とする本体部６が重複することはなく、無駄の無い構成を実現することができる。【選択図】図１
2015132135.tif 000002
【特許請求の範囲】
【請求項１】
地上設置の表示部材の頂部に被せて使用され、前記表示部材間に区画を表示するための帯状体を張設する区画表示装置において、
前記頂部の形状に沿った受け形状に形成されて、前記頂部に被せられる第１の取り付き部と、
前記第１の取り付き部の上端から延び、側面に、前記帯状体の先端に設けられる係止具と係合する係止受け部を有する棒状の軸部とを含む受け部材を備えることを特徴とする区画表示装置。
【請求項２】
前記帯状体と、
前記帯状体を巻き取るボビンと、
前記帯状体を巻き取ったボビンを収容し、一側面に形成した開口から前記帯状体が繰り出し可能な収納筒と、
前記表示部材の頂部の形状に沿った受け形状に形成されて、前記頂部に被せられるとともに、前記収納筒が固定される第２の取り付き部と、
前記第２の取り付き部の上端から延び、前記ボビンを外周面で回転自在に支持する棒状の支持軸とを含む本体部を、前記受け部材に対して備え、
前記第２の取り付き部が第１の取り付き部と同一形状であり、前記支持軸が前記軸部と同一形状であることを特徴とする請求項１記載の区画表示装置。
【請求項３】
前記収納筒には、前記開口が形成される一側面とは、少なくとも１８０度対向位置に係止受け部が形成されることを特徴とする請求項２記載の区画表示装置。
【請求項４】
前記ボビンの上端には、該ボビンに連動して回転し、直径線方向に摺動可能な摺動部材を備え、
前記摺動部材は、前記収納筒の上端に形成された開口部から露出し、該摺動部材が外周側に変位した状態で、該摺動部材の先端と前記開口部の周縁とが係合し、前記ボビンの回転止めを実現することを特徴とする請求項２または３記載の区画表示装置。
【請求項５】
前記摺動部材は、中央位置に復帰した状態で、前記ボビンを回転させるつまみとして使用可能であることを特徴とする請求項４記載の区画表示装置。
【請求項６】
前記係止具と係止受け部との内の一方は、前記帯状体の幅方向に延びて形成され、該帯状体の厚み方向に対する断面が、大略的にコの字状で、かつそのコの字の先端に内向きの突起を有する形状に形成され、
前記係止具と係止受け部との内の他方は、前記帯状体の厚み方向に対する断面が大略的にＴ字状に形成され、
前記係止受け部は、前記棒状体の少なくとも１８０度対向位置に一対で設けられることを特徴とする請求項２〜５の何れか１項に記載の区画表示装置。
【発明の詳細な説明】
【技術分野】
【０００１】
本発明は、路上など、地上に設置されて、立ち入り禁止などの所定の区画を表示するための装置に関する。
【背景技術】
【０００２】
従来から、路上などで、注意を促すために、カラーコーン（登録商標）などと称される円錐コーン形の表示部材（以下、円錐コーンと言う）が広く用いられている。この円錐コーンは、衝突しても比較的安全で、たとえば、単体で駐車区画の駐車禁止や、水漏れ箇所などの報知に用いられ、複数で車線や立ち入り禁止の区画などを表示するために用いられている。
【０００３】
その区画を表す場合、点で設置される円錐コーンでは、充分に認識されないこともあるので、そのような場合には、２つの円錐コーン間に、コーンバーと称される棒状の部材が掛け渡されている。しかしながら、コーンバーは、嵩張り、また規定の長さの物を組合わせて使用する必要があり、使い勝手が悪いという問題があった。また、区画を表す場合、立ち入り禁止などの文字を印刷した粘着性を有するテープが使用されることもあるが、テープが使い捨てで、後始末等に問題があるとともに、粘着性による問題もある。
【０００４】
そこで、特許文献１〜３が提案されている。特許文献１は、前記円錐コーンの頂部に被せて使用され、前記円錐コーンに被せられる筒状の巻取り部材内に巻取って収納されている帯状体（ベルト）を引き出し、そのベルトの先端に設けたリング部を、別の円錐コーンの頂部に被せて区画表示を実現することで、耐久性、安定性および表示性に優れた区画形成表示装置である。
【０００５】
特許文献２も前記円錐コーンの頂部に被せて使用され、前記円錐コーンに被せられる環状体の外周の一側面にベルト収納部を取付け、そのベルト収納部に巻取って収納されているベルトを引き出し、そのベルトの先端に設けた係止具を、別の環状体において、前記ベルトが引き出される一側面とは１８０度対向位置に設けられた係止具受に係止することで、任意の間隔の区画を表示できるようにしたベルト構造体である。
【０００６】
特許文献３は、円錐コーンの頂部に円筒状の収納体を設け、その収納体内に設けた巻取筒に仕切り用具（ベルト）を巻取らせ、収納体の頂部から突出した巻取筒の端部にハンドルを設けて巻上げ可能にするとともに、そのハンドルを倒してロック可能にすることによって、短時間で設置できるようにした境界仕切り用具の収納装置である。
【先行技術文献】
【特許文献】
【０００７】
【特許文献１】特開２０１０−２１６１２６号公報
【特許文献２】特開２０１０−４７９２２号公報
【特許文献３】特開平１１−５０４２１号公報
【発明の概要】
【発明が解決しようとする課題】
【０００８】
上述の従来技術は、何れも、円錐コーンの頂部に被せて使用され、区画表示用のベルトを巻取り可能に収納することで、前記のコーンバーや粘着テープによる問題を解決できるものである。
【０００９】
しかしながら、特許文献２，３は、少なくとも２つの本体構成を用い、ベルトの先端を、もう１つの本体構成（特許文献２では環状体、特許文献３では収納体）に係止し（引っ掛け）て使用するようになっている。したがって、最初の１区間目を形成する２つの本体構成の内、１つの本体構成に関しては、ベルトは引き出す必要は無く、無駄になる。
【００１０】
その点、特許文献１では、ベルトの先端に、もう１つの構成に係止する係止具を設けるとともに、相手（もう１つの本体構成）が無くても、円錐コーンの頂部に直接係止可能なように、引っ掛け用のリングが設けられている。しかしながら、そのリングでは、係止構造ではないので、風などでベルトに力が加わると、簡単に外れてしまう。
【００１１】
本発明の目的は、区画表示の帯状体を地上設置の表示装置に確実に係止しつつも、無駄の無い構成を実現できる区画表示装置を提供することである。
【課題を解決するための手段】
【００１２】
本発明の区画表示装置は、円錐コーンなどの地上設置の表示部材の頂部に被せて使用され、前記表示部材間に区画を表示するための帯状体（ベルト）を張設する区画表示装置において、前記頂部の形状に沿った受け形状に形成されて、前記頂部に被せられる第１の取り付き部と、前記第１の取り付き部の上端から延び、側面に、前記帯状体の先端に設けられる係止具と係合する係止受け部を有する棒状の軸部とを含む受け部材を備えることを特徴とする。
【００１３】
上記の構成によれば、円錐コーンなどの表示部材の頂部間に、区画を表示するための帯状体を張設するにあたって、前記帯状体の収納部や巻き取り機構を備えておらず、帯状体の先端に設けられる係止具と係合するだけの受け部材を設ける。詳しくは、この受け部材は、前記円錐形などの表示部材の頂部に被せられるように、前記頂部の形状に沿った受け形状に形成される第１の取り付き部と、前記第１の取り付き部の上端から延び、側面に、前記帯状体の先端に設けられる係止具と係合する係止受け部を有する棒状の軸部とを備えて構成される。
【００１４】
したがって、区画表示の帯状体を地上設置の表示部材に確実に係止しつつ、帯状体を収納し、引き出し可能とする構成が重複することはなく、無駄の無い構成を実現することができる。
【００１５】
また、本発明の区画表示装置は、前記帯状体と、前記帯状体を巻き取るボビンと、前記帯状体を巻き取ったボビンを収容し、一側面に形成した開口から前記帯状体が繰り出し可能な収納筒と、前記表示部材の頂部の形状に沿った受け形状に形成されて、前記頂部に被せられるとともに、前記収納筒が固定される第２の取り付き部と、前記第２の取り付き部の上端から延び、前記ボビンを外周面で回転自在に支持する棒状の支持軸とを含む本体部を、前記受け部材に対して備え、前記第２の取り付き部が第１の取り付き部と同一形状であり、前記支持軸が前記軸部と同一形状であることを特徴とする。
【００１６】
上記の構成によれば、受け部材に対して設けられ、前記帯状体を巻き取りおよび繰り出し可能な本体部において、帯状体を巻き取ったボビンを支持する支持軸および表示部材の頂部に被せられる第２の取り付き部を、それぞれ前記軸部および第１の取り付き部と同一形状とする。
【００１７】
したがって、これらの支持軸および第２の取り付き部として、上述の受け部材をそのまま用いることができ、部品を共用化して、一層無駄の無い構成を実現することができる。
【００１８】
さらにまた、本発明の区画表示装置では、前記収納筒には、前記開口が形成される一側面とは、少なくとも１８０度対向位置に係止受け部が形成されることを特徴とする。
【００１９】
上記の構成によれば、帯状体との係合を本体部においても行うことができ、該本体部を多数並べて連続して区画表示を行うことができる。
【００２０】
また、本発明の区画表示装置では、前記ボビンの上端には、該ボビンに連動して回転し、直径線方向に摺動可能な摺動部材を備え、前記摺動部材は、前記収納筒の上端に形成された開口部から露出し、該摺動部材が外周側に変位した状態で、該摺動部材の先端と前記開口部の周縁とが係合し、前記ボビンの回転止めを実現することを特徴とする。
【００２１】
上記の構成によれば、摺動部材を摺動させるか否かで、ボビンの回転止めを行うか、回転を許容するかを容易に切換えることができる。
【００２２】
さらにまた、本発明の区画表示装置では、前記摺動部材は、中央位置に復帰した状態で、前記ボビンを回転させるつまみとして使用可能であることを特徴とする。
【００２３】
上記の構成によれば、つまみ操作だけで、ボビンの回転から回転止めまでを行うことができ、操作が簡単である。
【００２４】
また、本発明の区画表示装置では、前記係止具と係止受け部との内の一方は、前記帯状体の幅方向に延びて形成され、該帯状体の厚み方向に対する断面が、大略的にコの字状で、かつそのコの字の先端に内向きの突起を有する形状に形成され、前記係止具と係止受け部との内の他方は、前記帯状体の厚み方向に対する断面が大略的にＴ字状に形成され、前記係止受け部は、前記棒状体の少なくとも１８０度対向位置に一対で設けられることを特徴とする。
【００２５】
上記の構成によれば、係止具と係止受け部との内の他方が、帯状体の厚み方向に対する断面が大略的にＴ字状に形成されるので、係止具と係止受け部との内の一方は、前記Ｔ字を抱え込むように、大略的にコの字状で、かつそのコの字の先端に内向きの突起を有する断面形状に形成される。そして、帯状体の幅方向にスライドさせて係止具を係止受け部に嵌め込んでゆくことで、帯状体の長手方向、すなわち引張りに対する外れ止めを行うことができる。こうして、簡単な構造で、帯状体の外れ止めを行うことができる。
【００２６】
また、前記係止受け部は、棒状体の少なくとも１８０度対向位置に一対で設けられるので、たとえば受け部材を中央に配置し、その両側に、帯状体を収納し、引き出し可能とする本体部を設けることで、前記帯状体の収納機構などが設けられておらず、比較的軽量の該受け部材に対して、風圧などが均等に作用して、転倒防止に効果的である。
【発明の効果】
【００２７】
本発明の区画表示装置は、以上のように、円錐コーンなどの表示部材の頂部間に、区画を表示するための帯状体を張設するにあたって、前記帯状体の収納部や巻き取り機構を備えておらず、帯状体の先端に設けられる係止具と係合するだけの受け部材を設ける。
【００２８】
それゆえ、区画表示の帯状体を地上設置の表示部材に確実に係止しつつ、帯状体を収納し、引き出し可能とする構成が重複することはなく、無駄の無い構成を実現することができる。
【図面の簡単な説明】
【００２９】
【図１】本発明の実施の一形態に係る区画表示装置の斜視図である。
【図２】前記区画表示装置の正面図である。
【図３】前記区画表示装置の平面図である。
【図４】前記区画表示装置の使用状態を示す正面図である。
【図５】前記区画表示装置における本体部の縦断面図である。
【図６】前記本体部内のボビンに巻き取られているベルトの交換手順を説明するための斜視図である。
【図７】前記本体部からのベルトの引き出し操作を説明する平面図である。
【図８】図７の水平断面図である。
【図９】前記ベルトの受け部材への係合操作を説明する斜視図である。
【発明を実施するための形態】
【００３０】
図１は本発明の実施の一形態に係る区画表示装置１の斜視図であり、図２は正面図であり、図３は平面図である。また、図４は、区画表示装置１の使用状態を示す正面図である。この区画表示装置１は、図４で示されるように、円錐コーンなどの地上２に設置される表示部材３の頂部に被せて使用され、前記表示部材３間に区画を表示するための帯状体（ベルト）４を張設するものである。
【００３１】
前記表示部材３は、前記地上２に設置される板状の基台３１と、前記基台３１から上方に円錐状に延びて形成されるコーン３２とを備えて構成され、赤色などの樹脂成形品で構成される。前記基台３１上には、ベルト４が受ける風圧などに耐えるために、重石５が重ねられていることが好ましい。
【００３２】
前記区画表示装置１は、前記ベルト４を収納している本体部６と、受け部材７とを備えて構成される。本体部６の取り付き部６１および受け部材７の取り付き部７１は、図５で示すように、コーン３２の頂部３２１の形状に沿った受け形状に形成されて、前記頂部３２１に被せられ、ビス９によって、共に前記頂部３２１にねじ止め固定される。図５は、前記本体部６およびコーン３２の頂部３２１付近の断面図である。
【００３３】
本体部６は、前記取り付き部６１と、支持軸６２と、前記ベルト４（図５では省略している）と、ベルト４を巻き取るボビン６７と、前記ベルト４を巻き取ったボビン６２を収容する収納筒６３と、摺動部材６４と、取付けビス６５，６６とを備えて構成される。
【００３４】
取り付き部６１は、円錐台状の前記コーン３２の頂部３２１の形状に沿った受け形状に形成されて、前記頂部３２１に被せられる。前記取り付き部６１の上端からは、棒状の支持軸６２が延びて形成され、これらの取り付き部６１および支持軸６２は、樹脂成形品によって一体で形成される。取り付き部６１の上部６１１は、円錐台状の斜面６１２に連なる円筒状に形成され、上端部は、小径の支持軸６２を延設するために、端板６１３で閉塞され、前記端板６１３から支持軸６２の基端部６２１は、段部６２２に形成されている。薄肉の樹脂成形品であるこの取り付き部６１において、前記斜面６１２には、上下方向に延びるリブ６１２１が形成され、底辺の開口端には、環状のリブ６１２２が形成されて、補強されている。また、前記斜面６１２には、周方向に等間隔に（図３の例では１８０度対向位置に）ビス９のねじ受け座６１２３が形成されている。
【００３５】
収納筒６３は、上下に分離可能で、ビス６５によって取り付き部６１に取付けられる受け部６３１と、上部側の筒部６３２とを備えて構成される。受け部６３１は、前記円筒状の上部６１１を外囲し、前記ビス６５で該上部６１１に固定される円筒状の筒部６３１１と、前記筒部６３１１の上端部に連なり、環状に形成される受け部６３１２と、前記受け部６３１２の内周側から立ち上がり、前記支持軸６２を内周に挿通する軸部６３１３とを備えて構成される。こうして、前記受け部６３１２が段部６２２に搭載され、軸部６３１３を通して、ボビン６７が支持軸６２に回転自在に支持される。
【００３６】
筒部６３２は、上端側が内側に巻き込まれて、ボビン６７の端板６７１の外周を支持して、その回転を案内する案内筒６３２１が形成されるとともに、前記上端側から案内筒６３２１の内周側には、傾斜面６３２２が形成されており、この傾斜面６３２２の開口端部が前記端板６７１で閉塞されることで、凹所６３２３が形成されている。その凹所６３２３内には、前記端板６７１に搭載される摺動部材６４が収容される。前記傾斜面６３２２の下端からは、周方向に等間隔に、突起６３２４が形成されている。
【００３７】
また、筒部６３２は、その外周の一側面に、ベルト４が引き出される開口（スリット）６３２５が形成されるとともに、他の側面（本実施の形態では開口６３２５の位置を基準として、周方向に等間隔の４５度毎の７箇所）に係止受け部６３２６が形成されている。前記係止受け部６３２６は、ベルト４の厚み方向、すなわち水平断面が、大略的にＴ字状に形成され、ベルト４の幅方向、すなわち上下方向に延びて形成される。そして、ビス６６によって、受け部６３１に筒部６３２が組付けられて、収納筒６３が構成される。
【００３８】
ボビン６７は、大略的に、ベルト４が巻回される軸部６７２の両端に、前記ベルト４の端部を揃える端板６７１，６７３が形成されて構成される。また、端板６７１，６７３間には、軸部６７２に近接して、ベルト４の一端部４１を挟み込ませるための１または複数本の支柱６７４が設けられている。さらに、上部側の端板６７１には、一直径線方向に延びるリブ６７５が立設されており、このリブ６７５上には前記摺動部材６４が跨がるように配置され、該リブ６７５の長手方向に摺動自在となっている。
【００３９】
また、軸部６７２は、下方の端板６７３を超えて延長部６７６によって延長されており、その延長部６７６の下端からは、外向きフランジ６７７が形成されている。外向きフランジ６７７の底面には円環状の凹溝６７８が形成されており、この凹溝６７８に前記受け部６３１２に形成された対応する円環状の凸条６３１４が嵌まり込むことで、前記支持軸６２の基端部６２１および軸部６７２とともに、ボビン６７がぶれ無く回転自在に支持される。
【００４０】
前記摺動部材６４は、短手方向、すなわちリブ６７５の軸直角方向の断面が大略コの字状に形成され、コの字の両先端には、端板６７１上で該摺動部材６４を摺動自在に案内する外向きフランジ６４１および内向きフランジ６４２が形成されている。これに対応して、リブ６７５には、端板６７１から僅かに間隔を開けた位置に、該端板６７１と平行に延びる凸条６７５１が形成されており、この凸条６７５１と端板６７１との間に内向きフランジ６４２が嵌まり込むことで、摺動部材６４が、摺動自在で、かつリブ６７５からの脱落が防止されている。
【００４１】
また、リブ６７５には、中央部付近に切欠き６７５２が形成されており、摺動部材６４の内周側には突起６４３が形成されており、前記切欠き６７５２の範囲で、突起６４３、したがって摺動部材６４が、摺動自在となっている。前記突起６４３および切欠き６７５２によって、摺動部材６４は、端板６７１の中央位置から、一半径線方向に変位可能となっており、その変位側の先端は前記外向きフランジ６４１および内向きフランジ６４２が延長されて係止片６４４が形成されている。係止片６４４は、摺動部材６４が外方に変位された状態で、端板６７１と、傾斜面６３２２の先端との間に嵌り込み、先割れ状に形成されるスリット６４５に前記突起６３２４が嵌まり込むことで、ボビン６７の回転止めが行われる。
【００４２】
一方、受け部材７は、取り付き部７１と、支持軸７２とを備えて構成される。取り付き部７１は、円錐台状の前記コーン３２の頂部３２１の形状に沿った受け形状に形成されて、前記頂部３２１に被せられる。前記取り付き部７１の上端からは、棒状の支持軸７２が延びて形成され、これらの取り付き部７１および支持軸７２は、樹脂成形品によって一体で形成される。取り付き部７１の上部７１１は、円錐台状の斜面７１２に連なる円筒状に形成され、上端部は、小径の支持軸７２を延設するために、端板７１３で閉塞される。薄肉の樹脂成形品であるこの取り付き部７１において、前記斜面７１２には、上下方向に延びるリブ７１２１が形成され、底辺の開口端には、環状のリブ７１２２が形成されて、補強されている。また、前記斜面７１２には、周方向に等間隔に（図３の例では１８０度対向位置に）、ビス９のねじ受け座７１２３が形成されている。
【００４３】
支持軸７２は、大略棒状に形成され、ベルト４の厚み方向、すなわち軸直角断面が大略的にＴ字状に形成される係止受け部７２２を、少なくとも１８０度対向位置に一対で有する。本実施の形態では、前記係止受け部７２２は、前記のように１８０度対向位置で一対で設けられ、それらの間の９０度位置には、凸部７２３が形成され、それらの係止受け部７２２および凸部７２３の外周面は、円弧状に形成される。これによって、取り付き部７１および支持軸７２を備える該受け部材７は、本体部６側の取り付き部６１および支持軸６２の構成と、共通化されて、コストが削減されている。
【００４４】
前記係止受け部７２２に対応して、ベルト４の他端部４２には、係止具４３が取付けられる。係止具４３は、前記ベルト４の厚み方向、すなわち水平断面が、大略的にコの字状で、かつそのコの字の先端に内向きの突起４３１，４３２を有する形状で、ベルト４の幅方向に延びて形成される。この係止具４３は、前記コの字の中央で２つに分割可能となっており、分割した状態でベルト４の他端部４２を挟み込み、ビス４３４で相互にねじ止め固定される。
【００４５】
ベルト４は、本体部６内のボビン６７に予め巻き取られているが、区画表示の目的に応じて、適宜交換することができる。図６を参照して、その交換の手順を説明する。（ａ）で示すように、ビス６６が取り外されて、収納筒６３が上下の筒部６３２と受け部６３１とに分離される。また、（ｇ）で示すように、ベルト４の他端部４２から、ビス４３４を緩めて、係止具４３が取外される。
【００４６】
次に、（ｂ）で示すように、ベルト４の一端部４１が、２本の支柱６７４と軸部６７２との間を挿通された後、（ｃ）で示すように、２本目の支柱で折り返されて、（ｄ）で示すように、１本目の支柱と軸部６７２との間を引き戻された後、２本目の支柱６７４にも通されていない他端部４２側の部分に、テープ４４などで固定される。その後、テープ４４で止められた側を内側にして、（ｅ）で示すように、ベルト４が巻取られ、他端部４２が開口６３２５から引き出されて、ビス６６によって、筒部６３２と受け部６３１とが組合わせられる。さらに、（ｈ）で示すように、ベルト４の他端部４２に、ビス４３４を締めて、係止具４３が取付けられる。
【００４７】
このように構成される本体部６および受け部材７は、使用時は、それぞれの取り付き部６１，７１が、図５で示すように、コーン３２の頂部３２１にビス９によってねじ止め固定され、必要な長さだけ、本体部６からベルト４が引き出される。図７はその引き出し操作を説明する平面図であり、図８は水平断面図である。図７（ａ）および図８（ａ）で示すように、摺動部材６４が略中央位置にあると、ボビン６７は回転可能となっており、係止具４３やベルト４の他端部４２が把持されるなどして、ベルト４は前記必要な長さだけ引き出される。
【００４８】
次に、図９で示すように、係止具４３が、受け部材７の支持軸７２の係止受け部７２２に、軸方向（ベルト４の幅方向）に、スライドさせて嵌め込まれる。その後、摺動部材６４からリブ６７５を介して、ボビン６７が回転操作され、ベルト４の長さが微調整された後、該摺動部材６４が図７（ｂ）および図８（ｂ）で示すように、外方に変位されて、係止片６４４のスリット６４５に突起６３２４が嵌まり込み、ボビン６７の回転止めが行われる。こうして、摺動部材６４の摺動から回転と言う簡単操作で、所望な長さだけベルト４を引き出して固定し、風などで不所望にベルト４が引き出されないようになっている。
【００４９】
このように本実施形態の区画表示装置１は、地上２に設置される表示部材３の頂部３２１間に、区画を表示するためのベルト４を張設するにあたって、前記ベルト４の収納部や巻き取り機構を備えておらず、該ベルト４の先端に設けられる係止具４３と係合するだけの受け部材７を設けるので、該ベルト４を、地上２に設置の表示部材３に確実に係止しつつ、該ベルト４を収納し、引き出し可能とする本体部６が重複することはなく、無駄の無い構成を実現することができる。
【００５０】
また、本実施形態の区画表示装置１では、受け部材７に対して設けられ、前記ベルト４を巻き取りおよび繰り出し可能な本体部６において、ベルト４を巻き取ったボビン６７を支持する支持軸６２およびコーン３２の頂部３２１に被せられる取り付き部６１を、それぞれ前記受け部材７の支持軸７２および取り付き部７１と同一形状とするので、これらの支持軸６２および取り付き部６１として、受け部材７をそのまま用いることができ、部品を共用化して、一層無駄の無い構成を実現することができる。
【００５１】
さらにまた、本実施形態の区画表示装置１では、収納筒６３には、開口６３２５が形成される一側面とは、少なくとも１８０度対向位置に係止受け部６３２６が形成されるので、ベルト４との係合を本体部６においても行うことができ、該本体部６を多数並べて、連続して区画表示を行うことができる。
【００５２】
また、本実施形態の区画表示装置１では、ボビン６７の上端には、該ボビンに６７連動して回転し、直径線方向に摺動可能な摺動部材６４を備え、前記摺動部材６４は、前記収納筒６３の上端に形成された傾斜面６３２３による開口部から露出し、該摺動部材６４が外周側に変位した状態で、該摺動部材６４の先端のスリット６４５と前記開口部６３２３の周縁の突起６３２４とが係合し、ボビン６７の回転止めを実現するので、摺動部材６４を摺動させるか否かで、ボビン６７の回転止めを行うか、回転を許容するかを容易に切換えることができる。
【００５３】
さらにまた、本実施形態の区画表示装置１では、前記摺動部材６４は、中央位置に復帰した状態で、前記ボビン６７を回転させるつまみとして使用可能であるので、つまみ操作だけで、ボビン６７の回転から回転止めまでを行うことができ、操作が簡単である。
【００５４】
また、本実施形態の区画表示装置１では、係止受け部６３２６および係止受け部７２２が、ベルト４の厚み方向に対する断面が大略的にＴ字状に形成され、係止具４３の断面は、大略的にコの字状で、かつそのコの字の先端に内向きの突起４３１，４３２を有する形状に形成されるので、ベルト４の幅方向にスライドさせて係止具４３を係止受け部６３２６，７２２に嵌め込んでゆくことで、ベルト４の長手方向、すなわち引張りに対する外れ止めを行うことができる。こうして、簡単な構造で、ベルト４の外れ止めを行うことができる。
【００５５】
また、本実施形態の区画表示装置１では、前記係止受け部７２２は、棒状の支持軸７２の少なくとも１８０度対向位置に一対で設けられるので、たとえば受け部材７を中央に配置し、その両側に本体部６を設けることで、前記ベルト４の収納機構などが設けられておらず、比較的軽量の該受け部材７に対して、風圧などが均等に作用して、転倒防止に効果的である。
【００５６】
なお、係止受け部６３２６および係止受け部７２２が大略的にコの字状で、かつそのコの字の先端に内向きの突起を有する形状に、係止具４３が大略的にＴ字状に形成されてもよい。
【符号の説明】
【００５７】
１    区画表示装置
２    地上
３    表示部材
３１    基台
３２    コーン
３２１  頂部
４    ベルト
４３    係止具
６    本体部
６１    取り付き部（第２の取り付き部）
６２    支持軸
６３    収納筒
６３１  受け部
６３２  筒部
６３２４    突起
６３２６    係止受け部
６４    摺動部材
６４４  係止片
６４５  スリット
６７    ボビン
７    受け部材
７１    取り付き部（第１の取り付き部）
７２    支持軸（軸部）
７２２  係止受け部
【図１】
2015132135.tif 000003
【図２】
2015132135.tif 000004
【図３】
2015132135.tif 000005
【図４】
2015132135.tif 000006
【図５】
2015132135.tif 000007
【図６】
2015132135.tif 000008
【図７】
2015132135.tif 000009
【図８】
2015132135.tif 000010
【図９】
2015132135.tif 000011